(57)【要約】【課題】雄丁番の上面と雌丁番の下面との間の隙間を簡単な調整操作でゼロにできるドアとする。【解決手段】枠体１の上下寄りに取り付けた雄丁番４と扉２の上下寄りに取り付けた雌丁番５を回動自在に連結して扉２を枠体１に取り付け、前記各雌丁番５は、丁番取付ねじ６を丁番用孔２４を挿通して裏板７に螺合して扉２に取り付け、この扉７は、裏板用孔２５を挿通した裏板取付ねじ８で固定され、その裏板取付ねじ８を弛めることで上下に移動可能とし、扉取り付け前には、前記裏板取付ねじ８が裏板用孔２５の内面上端部２５ａに接しており、下面５ａが雄丁番４の上面４ａと離れている雌丁番５の丁番取付ねじ６、裏板取付ねじ８を弛め、その雌丁番５を裏板７とともに下方に移動して下面５ａを雄丁番４の上面４ａに接して隙間をゼロにできるようにする。【選択図】図５
2011208379.tif 000002
【特許請求の範囲】
【請求項１】
枠体の上部寄りと下部寄りに、縦軸を備えた雄丁番をそれぞれ取り付け、
扉の上部寄りと下部寄りに、縦孔を有した雌丁番をそれぞれ取り付け、
前記雌丁番の縦孔に雄丁番の縦軸を挿入して雄丁番と雌丁番を回動自在に連結することで、前記扉を枠体に開閉自在に取り付けたドアであって、
前記扉の丁番取付部に、丁番を取り付けるための丁番用孔と裏板を取り付けるための裏板用孔をそれぞれ有し、
前記丁番取付部の表面側から前記裏板用孔を挿通して裏板に螺合した裏板取付ねじで裏板を丁番取付部の裏面に固定し、
前記丁番取付部の表面側から前記雌丁番のねじ挿通孔、前記丁番用孔を挿通して前記裏板に螺合した丁番取付ねじで、前記各雌丁番を丁番取付部の表面に固定して取り付け、
前記各裏板取付ねじは、扉の枠体取付前状態で、各裏板用孔内の前記各裏板取付ねじの上下可動範囲における上限にそれぞれ位置し、当該上下可動範囲における下限の位置と各裏板取付ねじはそれぞれ離隔し、
前記丁番取付ねじは、各丁番用孔内に上下可動であることを特徴とするドア。
【請求項２】
枠体の上部寄りと下部寄りに、縦軸を備えた雄丁番をそれぞれ取り付け、
扉の上部寄りと下部寄りに、縦孔を有した雌丁番をそれぞれ取り付け、
前記雌丁番の縦孔に雄丁番の縦軸を挿入して雄丁番と雌丁番を回動自在に連結することで、前記扉を枠体に開閉自在に取り付けたドアであって、
前記扉の丁番取付部に、丁番を取り付けるための丁番用孔と裏板を取り付けるための裏板用孔をそれぞれ有し、
前記丁番取付部の表面側から前記裏板用孔を挿通して裏板に螺合した裏板取付ねじで裏板を丁番取付部の裏面に固定し、
前記丁番取付部の表面側から前記雌丁番のねじ挿通孔、前記丁番用孔を挿通して前記裏板に螺合した丁番取付ねじで、前記各雌丁番を丁番取付部の表面に固定して取り付け、
前記各丁番取付ねじは、扉の枠体取付前状態で、各丁番用孔内の前記各丁番取付ねじの上下可動範囲における上限にそれぞれ位置し、当該上下可動範囲における下限の位置と各丁番取付ねじはそれぞれ離隔し、
前記裏板取付ねじは、各裏板用孔内に上下可動であることを特徴とするドア。
【請求項３】
前記扉の枠体取付状態で、前記各裏板取付ねじ又は各丁番取付ねじは、各裏板用孔又は丁番用孔内の上下可動範囲の上限にそれぞれ位置している請求項１又は２記載のドア。
【請求項４】
前記扉の枠体取付状態で、下の雌丁番の裏板取付ねじ又は丁番取付ねじが、裏板用孔又は丁番用孔内の上下可動範囲の上限と離隔している請求項１又は２記載のドア。
【請求項５】
前記扉の枠体取付状態で、上の雌丁番の裏板取付ねじ又は丁番取付ねじが、裏板用孔又は丁番用孔内の上下可動範囲の上限と離隔している請求項１又は２記載のドア。
【請求項６】
請求項１記載のドアの扉を取り付ける方法であって、
枠体に雄丁番を取り付け、扉に雌丁番を取り付けた状態で、その扉を持ち上げて各雌丁番の軸取付孔を各雄丁番の縦軸にそれぞれ挿入して扉を枠体に取り付け、
この状態で、各雄丁番の上面と各雌丁番の下面が接している場合にはそのままとし、
前記雄丁番の上面と雌丁番の下面が離れて隙間がある場合には、その隙間のある雌丁番の丁番取付ねじ、裏板取付ねじを弛めて裏板とともに雌丁番を下方に移動し、その雌丁番の下面を雄丁番の上面に接し、
その後に、前記弛めた丁番取付ねじ、裏板取付ねじを締め付けて雌丁番を固定するようにしたことを特徴とするドアの扉取付方法。
【請求項７】
請求項２記載のドアの扉を取り付ける方法であって、
枠体に雄丁番を取り付け、扉に雌丁番を取り付けた状態で、その扉を持ち上げて各雌丁番の軸取付孔を各雄丁番の縦軸にそれぞれ挿入して扉を枠体に取り付け、
この状態で、各雄丁番の上面と各雌丁番の下面が接している場合にはそのままとし、
前記雄丁番の上面と雌丁番の下面が離れて隙間がある場合には、その隙間のある雌丁番の丁番取付ねじ、裏板取付ねじを弛めて裏板とともに雌丁番を下方に移動し、その雌丁番の下面を雄丁番の上面に接し、
その後に、前記弛めた丁番取付ねじ、裏板取付ねじを締め付けて雌丁番を固定するようにしたことを特徴とするドアの扉取付方法。
【発明の詳細な説明】
【技術分野】
【０００１】
本発明は、玄関ドア、勝手口ドア等の枠体に扉を丁番で開閉方向に回動自在に取り付けたドア及びそのドアの扉を枠体に取り付ける方法に関する。
【背景技術】
【０００２】
従来、枠体に扉を上下の丁番で開閉方向に回動自在に取り付けたドアが種々提案されている。
例えば、特許文献１に開示したように、縦軸を有した雄丁番を枠体の縦枠の上部寄りと下部寄りに取り付け、軸穴を有した雌丁番を扉の縦縁部の上部寄りと下部寄りに取り付け、その上下の雌丁番の軸穴を上下の雄丁番の縦軸にそれぞれ嵌挿して扉を開閉方向に回動自在に取り付けたドアが提案されている。
【先行技術文献】
【特許文献】
【０００３】
【特許文献１】実開平５−７８７８号公報
【発明の概要】
【発明が解決しようとする課題】
【０００４】
前述したドアにおいては、枠体に取り付けた上の雄丁番と下の雄丁番の間の上下方向寸法、つまり雄丁番の上下間隔と、扉に取り付けた上の雌丁番と下の雌丁番の間の上下方向寸法、つまり雌丁番の上下間隔が同一であれば、各雄丁番の上面と各雌丁番の下面がそれぞれ接する。
しかし、前述の雄丁番の上下間隔と雌丁番の上下間隔は加工誤差等によって異なることがあり、その場合には雄丁番の上面と雌丁番の下面が離れて隙間が生じてしまう。
【０００５】
前述の隙間が生じた場合には、雄丁番の縦軸にリング状のスペーサを挿入し、このスペーサを雄丁番の上面に接すると共に、雌丁番の下面をスペーサに接して前述の隙間を隠すことが考えられるが、このようにするには、一度取り付けた扉を取り外し、雄丁番の縦軸にスペーサを挿入し、再び扉を取り付けるので、その作業が大変面倒である。
しかも、前述の雄丁番の上面と雌丁番の下面との間の隙間は、ドアの取付現場で生じ、その隙間の大きさも不揃いであるから、複数枚のスペーサを準備しなければならず、不要となったスペーサは廃棄されるために無駄である。
【０００６】
また、雌丁番の取付片に上下の長孔を形成し、この長孔の上下中間を挿通したねじを扉に螺合して雌丁番を扉に取り付けることで、前述の隙間が生じた場合には、雌丁番の長孔をねじに沿って上下に移動して雌丁番の上下間隔を調整することによって、前述の隙間をゼロとすることが考えられるが、このようにすると、上下の雌丁番を上下のどちらかに、どの程度移動すれば良いかが判らないので、何回も移動して隙間がゼロとなるようにしなければならず、その作業が大変面倒である。
しかも、上下のどちらにも移動できるようにするために、長孔の上下中間部にねじが挿通しているから、その雌丁番を上下に移動できる距離、つまり調整代が小さい。
【０００７】
本発明の目的は、枠体に取り付けた雄丁番の上面と扉に取り付けた雌丁番の下面との間に隙間が生じた場合には、簡単な調整操作で、その隙間をゼロにできると共に、その調整代を大きくできるようにしたドアとすることである。
【課題を解決するための手段】
【０００８】
本発明の第１のドアは、枠体の上部寄りと下部寄りに、縦軸を備えた雄丁番をそれぞれ取り付け、
扉の上部寄りと下部寄りに、縦孔を有した雌丁番をそれぞれ取り付け、
前記雌丁番の縦孔に雄丁番の縦軸を挿入して雄丁番と雌丁番を回動自在に連結することで、前記扉を枠体に開閉自在に取り付けたドアであって、
前記扉の丁番取付部に、丁番を取り付けるための丁番用孔と裏板を取り付けるための裏板用孔をそれぞれ有し、
前記丁番取付部の表面側から前記裏板用孔を挿通して裏板に螺合した裏板取付ねじで裏板を丁番取付部の裏面に固定し、
前記丁番取付部の表面側から前記雌丁番のねじ挿通孔、前記丁番用孔を挿通して前記裏板に螺合した丁番取付ねじで、前記各雌丁番を丁番取付部の表面に固定して取り付け、
前記各裏板取付ねじは、扉の枠体取付前状態で、各裏板用孔内の前記各裏板取付ねじの上下可動範囲における上限にそれぞれ位置し、当該上下可動範囲における下限の位置と各裏板取付ねじはそれぞれ離隔し、
前記丁番取付ねじは、各丁番用孔内に上下可動であることを特徴とするドアである。
【０００９】
本発明の第２のドアは、枠体の上部寄りと下部寄りに、縦軸を備えた雄丁番をそれぞれ取り付け、
扉の上部寄りと下部寄りに、縦孔を有した雌丁番をそれぞれ取り付け、
前記雌丁番の縦孔に雄丁番の縦軸を挿入して雄丁番と雌丁番を回動自在に連結することで、前記扉を枠体に開閉自在に取り付けたドアであって、
前記扉の丁番取付部に、丁番を取り付けるための丁番用孔と裏板を取り付けるための裏板用孔をそれぞれ有し、
前記丁番取付部の表面側から前記裏板用孔を挿通して裏板に螺合した裏板取付ねじで裏板を丁番取付部の裏面に固定し、
前記丁番取付部の表面側から前記雌丁番のねじ挿通孔、前記丁番用孔を挿通して前記裏板に螺合した丁番取付ねじで、前記各雌丁番を丁番取付部の表面に固定して取り付け、
前記各丁番取付ねじは、扉の枠体取付前状態で、各丁番用孔内の前記各丁番取付ねじの上下可動範囲における上限にそれぞれ位置し、当該上下可動範囲における下限の位置と各丁番取付ねじはそれぞれ離隔し、
前記裏板取付ねじは、各裏板用孔内に上下可動であることを特徴とするドアである。
【００１０】
本発明の第１又は第２のドアは、前記扉の枠体取付状態で、前記各裏板取付ねじ又は各丁番取付ねじは、各裏板用孔又は丁番用孔内の上下可動範囲の上限にそれぞれ位置しているドアであっても良い。
このようなドアであれば、扉の枠体取付前の雄丁番の上下間隔と雌丁番の上下間隔が同一で、扉の枠体取付後に隙間の調整操作をする必要がない。
【００１１】
本発明の第１又は第２のドアは、前記扉の枠体取付状態で、下の雌丁番の裏板取付ねじ又は丁番取付ねじが、裏板用孔又は丁番用孔内の上下可動範囲の上限と離隔しているドアであっても良い。
このようなドアであれば、扉の枠体取付前に雄丁番の上下間隔が雌丁番の上下間隔よりも大きいドアであっても、扉の枠体取付後には下の雌丁番を下方に移動して下の雄丁番の上面に下の雌丁番の下面が接しているドアとすることができる。
【００１２】
本発明の第１又は第２のドアは、前記扉の枠体取付状態で、上の雌丁番の裏板取付ねじ又は丁番取付ねじが、裏板用孔又は丁番用孔内の上下可動範囲の上限と離隔しているドアであっても良い。
このようなドアであれば、扉の枠体取付前に雄丁番の上下間隔が雌丁番の上下間隔よりも小さいドアであっても、扉の枠体取付後には上の雌丁番を下方に移動して上の雄丁番の上面に上の雌丁番の下面が接しているドアとすることができる。
【００１３】
本発明の第１のドアの扉取付方法は、請求項１記載のドアの扉を取り付ける方法であって、
枠体に雄丁番を取り付け、扉に雌丁番を取り付けた状態で、その扉を持ち上げて各雌丁番の軸孔を各雄丁番の縦軸にそれぞれ挿入して扉を枠体に取り付け、
この状態で、各雄丁番の上面と各雌丁番の下面が接している場合にはそのままとし、
前記雄丁番の上面と雌丁番の下面が離れて隙間がある場合には、その隙間のある雌丁番の丁番取付ねじ、裏板取付ねじを弛めて裏板とともに雌丁番を下方に移動し、その雌丁番の下面を雄丁番の上面に接し、
その後に、前記弛めた丁番取付ねじ、裏板取付ねじを締め付けて雌丁番を固定するようにしたことを特徴とするドアの扉取付方法である。
【００１４】
本発明の第２の扉取付方法は、請求項２記載のドアの扉を取り付ける方法であって、
枠体に雄丁番を取り付け、扉に雌丁番を取り付けた状態で、その扉を持ち上げて各雌丁番の軸取付孔を各雄丁番の縦軸にそれぞれ挿入して扉を枠体に取り付け、
この状態で、各雄丁番の上面と各雌丁番の下面が接している場合にはそのままとし、
前記雄丁番の上面と雌丁番の下面が離れて隙間がある場合には、その隙間のある雌丁番の丁番取付ねじ、裏板取付ねじを弛めて裏板とともに雌丁番を下方に移動し、その雌丁番の下面を雄丁番の上面に接し、
その後に、前記弛めた丁番取付ねじ、裏板取付ねじを締め付けて雌丁番を固定するようにしたことを特徴とするドアの扉取付方法である。
【発明の効果】
【００１５】
本発明の第１・第２のドアであれば、扉を取り付けた状態で雄丁番の上面と雌丁番の下面が離れているときには、その雌丁番を下方に移動して雌丁番の下面を雄丁番の上面に接して隙間をゼロにできるので、簡単な調整操作で、その隙間をゼロにできると共に、その調整代を大きくできる。
しかも、第１の発明では少なくとも１つの雌丁番の裏板取付ねじが裏板用孔内の上下可動範囲の上限に位置し、第２の発明では少なくとも１つの雌丁番の丁番取付ねじが丁番用孔内の上下可動範囲の上限に位置しているので、扉が自重で下方にずれることを防止できる。
【図面の簡単な説明】
【００１６】
【図１】ドアの外観図である。
【図２】丁番の正面図である。
【図３】雄丁番と雌丁番の取付状態を示す斜視図である。
【図４】雌丁番取付部の横断面である。
【図５】雌丁番取付部の縦断面である。
【図６】扉取付状態の正面図である。
【図７】扉取付状態の正面図である。
【図８】扉取付状態の正面図である。
【発明を実施するための形態】
【００１７】
図１に示すように、枠体１に扉２を、複数の丁番３で開閉方向に回動自在に取り付けてドアとしてある。
前記丁番３は、枠体１の縦枠１０に取り付けた雄丁番４と、扉２の縦框２０に取り付けた雌丁番５を回動自在に連結し、雄丁番４の上面４ａに雌丁番５の下面５ａが接するようにした丁番である。
【００１８】
例えば、図２に示すように、雄丁番４は取付片４０と、この取付片４０の一端縁と連続した軸取付部４１を有し、その軸取付部４１の軸取付孔４２に縦軸４３のフランジ４４よりも下方部分を挿入して取り付け、縦軸４３のフランジ４４よりも上方部分が軸取付部４１よりも上方に突出している。
前記取付片４０にはねじ挿通孔４５が形成してある。
前記雌丁番５は取付片５０と、この取付片５０の一端縁と連続した連結部５１を有し、その連結部５１に縦孔５２が形成してある。
この縦孔５２に前記縦軸４３が回転自在に挿入されて雄丁番４と雌丁番５は回動自在に連結され、その縦孔５２の上部にキャップ５３が嵌合して取り付けてある。
前記取付片５０にはねじ挿通孔５４が形成されている。なお、縦孔５２は下面に開口し、上面には開口しない形状でも良い。
【００１９】
前記雌丁番５の連結部５１の下面５１ａが縦軸４３のフランジ４４に接し、そのフランジ４４が前述の雄丁番４の上面４ａで、連結部５１の下面５１ａが雌丁番５の下面５ａである。
図２においては、フランジ４４が図示されている。
また、図２においては上部寄りに２つの丁番３が取り付けてあるが、理解を容易とするために、以下の説明では、上部寄りに１つの丁番３が取り付けてあるものとする。
【００２０】
前記雄丁番４は図３に示すように、枠体１の縦枠１０に取付片４０を丁番取付ねじ４６で固着して取り付けられ、縦軸４３が上方に向かうようにする。
前記雌丁番５は図３に示すように、扉２の縦框２０に取付片５０を丁番取付ねじ６で固着して取り付けられる。
そして、扉２を持ち上げて雌丁番５の縦孔５２を雄丁番４の縦軸４３の上に合致させ、扉２を下方に動かして縦孔５２を縦軸４３に挿通して雌丁番５と雄丁番４を回動自在に連結することで、扉２を枠体１に取り付ける。
【００２１】
図１に示すように、雄丁番４の上下間隔Ｈ１（つまり、縦枠１０の上方寄りに取り付けた雄丁番４の上面４ａと下方寄りに取り付けた雄丁番４の上面４ａとの間の上下寸法）と、雌丁番５の上下間隔Ｈ２（つまり前記縦框２０の上方寄りに取り付けた雌丁番５の下面５ａと下方寄りに取り付けた雌丁番５の下面５ａとの間の上下寸法）が同一であれば、各雄丁番４の上面４ａと各雌丁番５の下面５ａがそれぞれ接し、隙間が生じることがない。
しかし、加工誤差などによって前述の雄丁番４の上下間隔Ｈ１と雌丁番５の上下間隔Ｈ２が異なると、雄丁番４の上面４ａと雌丁番５の下面５ａが離れて隙間が生じてしまう。
【００２２】
例えば、前記雄丁番４は縦枠１０の上端面１０ａ、下端面１０ｂを基準として取り付けることで、その上面４ａと上端面１０ａとの間の上下寸法Ｓ１、上面４ａと下端面１０ｂとの間の上下寸法Ｓ２は誤差なく設定した値にできるが、縦枠１０の全長が設定寸法と異なる場合には雄丁番４の上下間隔Ｈ１が設定値と異なってしまう。
同様に、丁番５は縦框２０の上端面２０ａ、下端面２０ｂを基準として取り付けることで、その下面５ａと上端面２０ａとの間の上下寸法Ｓ３、下面５ａと下端面２０ｂとの間の上下寸法Ｓ４は誤差なく設定した値にできるが、縦框２０の全長が設定寸法と異なる場合には雌丁番５の上下間隔Ｈ２が設定値と異なってしまう。
【００２３】
前記雌丁番５の取り付けを図４、図５に基づいて詳細に説明する。
前記縦框２０は室内側板２１と室外側板２２と端面板２３を備え、その端面板２３の表面２３ａに雌丁番５の取付片５０を接し、表面２３ａ側から丁番取付ねじ６を、取付板５０のねじ挿通孔５４、前記端面板２３に形成した丁番を取り付けるための丁番用孔２４を挿通して端面板２３の裏面２３ｂに固定した裏板７に螺合することで取付片５０を端面板２３の表面２３ａに固定し、雌丁番５を縦框２０に取り付けてある。
前記端面板２３が丁番取付部である。
【００２４】
前記端面板２３の丁番用孔２４よりも上方寄り、下方寄りに裏板を取り付けるための裏板用孔２５がそれぞれ形成してある。
前記端面板２３の表面２３ａ側から裏板取付ねじ８を裏板用孔２５を挿通して前記裏板７に螺合して裏板７を端面板２３の裏面２３ｂに押しつけて固定している。
前記裏板用孔２５は、上下に長い長孔で形成され、裏板取付ねじ８は裏板用孔２５内で上下に移動できるようにしてある。
前記裏板取付ねじ８は、扉２を枠体１に取り付ける前には、前記裏板用孔２５内の当該裏板取付ねじ８の上下可動範囲における上限に位置、例えば裏板用孔２５の内面上端部２５ａに接し、この裏板取付ねじ８と裏板用孔２５内の前記上下可動範囲における下限の位置、例えば裏板用２５の内面下端部２５ｂとは離隔している。
【００２５】
これにより、裏板７は、前記裏板用孔２５の内面下端部２５ｂと裏板取付ねじ８との間の離隔寸法だけ下方に移動可能に取り付けてある。
【００２６】
前記丁番取付ねじ６は図５に示すように、丁番用孔２４内を上下方向に可動可能で、扉２を枠体１に取り付ける前の状態では、前記裏板７の下方への移動量以上に下方に移動可能である。
例えば、丁番用孔２４は、上下に長い長孔で形成され、丁番取付ねじ６は丁番用孔２４内で上下に移動できるようにする。
そして、扉２を枠体１に取り付ける前の状態では、丁番用孔２４内の前記丁番取付ねじ６の上下可動範囲における下限、例えば丁番用孔２４の内面下端部２４ｂと丁番取付ねじ６とが離隔し、この離隔寸法は前述の離隔寸法以上であれば良い。
このとき、丁番取付ねじ６が、丁番用孔２４内の前記上下可動範囲における上限に位置、例えば、丁番用孔２４の内面上端部２４ａに接するようにしても良い。
【００２７】
前述のように扉２を持ち上げて雌丁番５の縦孔５２を雄丁番４の縦軸４３に挿入して雌丁番５を雄丁番４に回動自在に連結することで、扉２を枠体１に取り付けする。
このとき、雄丁番４の上下間隔Ｈ１と雌丁番５の上下間隔Ｈ２が同一であれば、図６に示すように上下の雄丁番４の上面４ａと上下の雌丁番５の下面５ａがそれぞれ接して隙間が生じないので、調整操作する必要がない。
【００２８】
前述のように扉２を枠体１に取り付けた状態で、扉２は自重で下向きの力が負荷する。
この下向きの力は、裏板用孔２５の内面上端部２５ａ、裏板取付ねじ７、裏板７、丁番取付ねじ６、雌丁番５を経て雄丁番４で支承されるので、扉２が下方にずれることはない。
【００２９】
前記雄丁番４の上下間隔Ｈ１が雌丁番５の上下間隔Ｈ２よりも大きいときには、図７に示すように上の雌丁番５の下面５ａが上の雄丁番４の上面４ａに接するが、下の雌丁番５の下面５ａが下の雄丁番４の上面４ａと離れて隙間が生じる。
この場合には、下の雌丁番５の丁番取付ねじ６と裏板取付ねじ８を弛め、下の雌丁番５を裏板７とともに裏板用孔２５に沿って下方に移動し、その雌丁番５の下面５ａを下の雄丁番４の上面４ａに接することで、前述の隙間をゼロにする。
このようにして隙間の調整操作をしたら、前述の弛めた丁番取付ねじ６と裏板取付ねじ８を締め付けて下の雌丁番５をしっかりと竪框２０に取り付ける。
【００３０】
前記雄丁番４の上下間隔Ｈ１が雌丁番５の上下間隔Ｈ２よりも小さいときには、図８に示すように下の雌丁番５の下面５ａが下の雄丁番４の上面４ａに接するが、上の雌丁番５の下面５ａが上の雄丁番４の上面４ａと離れて隙間が生じてしまう。
この場合には、上の雌丁番５の丁番取付ねじ６と裏板取付ねじ８を弛め、上の雌丁番５を裏板７とともに裏板用孔２５に沿って下方に移動し、その雌丁番５の下面５ａを上の雄丁番４の上面４ａに接することで、前述の隙間をゼロとする。
このようにして隙間の調整操作をしたら、前述の弛めた丁番取付ねじ６と裏板取付ねじ８を締め付けて上の雌丁番５を縦框２０にしっかりと取り付ける。
【００３１】
このように、雄丁番４の上面４ａと離れている雌丁番５を下方に移動することで雄丁番４の上面４ａと雌丁番５の下面５ａとの間の隙間をゼロに調整できるので、その操作が簡単である。
しかも、扉の枠体取付前状態（調整操作前）では、裏板用孔２５の内面上端部２５ａに裏板取付ねじ８が接しているので、調整代を大きくできる。
【００３２】
また、扉の枠体取付後には、少なくとも１つの雌部材５の裏板取付ねじ８が縦框２０の裏板用孔２５の内面上端部２５ａに接しているので、扉２が自重で下方にずれることを防止できる。
【００３３】
また、図５に示すように扉の枠体取付前状態では、丁番用孔２４の内面上端部２４ａに丁番取付ねじ６が接しているから、扉の枠体取付後（調整操作後）には、少なくとも１つの雌部材５の丁番取付ねじ６が縦框２０の丁番用孔２４の内面上端部２４ａに接しているので、扉２が自重で下方にずれることを確実に防止できる。
【００３４】
次に、本発明の第２の実施の形態を説明する。
この実施の形態は、雄丁番４、雌丁番５の形状は前述の実施の形態と同一で、扉２を枠体１に取り付ける前の状態では、丁番取付ねじ６を、丁番用孔２４の丁番取付ねじ６の上下可動範囲の上限に位置、例えば、丁番用孔２４の内面上端部２４ａに接し、その上下可動範囲の下限、例えば丁番用孔２４の内面下端部２４ｂと丁番取付ねじ６が離隔して、雌丁番５を前述の離隔寸法だけ下方に移動可能に取り付ける。
前記扉２を枠体１に取り付ける前の状態では、裏板取付ねじ８と裏板用孔２５の上下可動範囲の下限、例えば内面下端部２５ｂとの間を前述した離隔寸法以上に離隔させる。
つまり、裏板７は雌丁番５と一体的に下方に移動できるようにする。
【００３５】
このようにしても前述の実施の形態と同様に、雄丁番４の上面４ａと離れている雌丁番５を下方に移動することで雄丁番４の上面４ａと雌丁番５の下面５ａとの間の隙間をゼロに調整できるので、その操作が簡単である。
しかも、扉の枠体取付前の状態（調整操作前）では、丁番用孔２４の内面上端部２４ａに丁番取付ねじ６が接しているので、調整代を大きくできる。
【００３６】
また、扉の枠体取付後は、少なくとも１つの雌部材５の丁番取付ねじ６が縦框２０の丁番用長孔２４の内面上端部２４ａに接しているので、扉２が自重で下方にずれることを防止できる。
【００３７】
また、扉の枠体取付前の状態では、裏板用孔２５の内面上端部２５ａに裏板取付ねじ８が接しているから、扉の枠体取付後（調整操作後）には、少なくとも１つの雌部材５の裏板取付ねじ８が縦框２０の裏板用孔２５の内面上端部２５ａに接しているので、扉２が自重で下方にずれることを確実に防止できる。
【００３８】
前述の説明は、２つの丁番が上下寄りに取り付けてあるドアについてであったが、３つ以上の丁番を取り付けてあるドアの場合でも、その各雌丁番５を前述のように取り付けることで、雄丁番４の上下間隔と雌丁番５の上下間隔が異なるときに、少なくとも１つの雄丁番４の上面４ａと雌丁番５の下面５ａが接するので、前述と同様にして隙間を調整することができる。
【００３９】
上記実施形態においては、丁番用孔２４と裏板用孔２５の上端部形状が取付ねじの円周に沿う円弧としたが、これに限らず、円周に沿わない形状として凸形状や三角形状であっても構わない。
また、丁番用孔２４内と裏板用孔２５内における取付ねじの上下可動範囲とは、孔内を上下方向に動くねじが、隙間を有して孔と接触するか接触しないかに関わらず、その位置より上方に動かすことができない上限位置から、その位置より下方に動かすことができない下限位置までの範囲のことである。
また、丁番用孔２４を上下方向に長く丁番取付ねじ６の幅とほぼ同一の幅を有する長孔としたが、これに限らず、丁願取付ねじ６の幅寸法以上の幅を有した孔であっても良い。
【符号の説明】
【００４０】
１…枠体、２…扉、３…丁番、４…雄丁番、４ａ…上面、５…雌丁番、５ａ…下面、６…丁番取付ねじ、７…裏板、８…裏板取付ねじ、２３……端面板（丁番取付部）、２３ａ…表面、２３ｂ…裏面、２４…丁番用孔、２４ａ…内面上端部、２５…裏板用孔、２５ａ…内面上端部、４３…縦軸、５２…縦孔。
【図１】
2011208379.tif 000003
【図２】
2011208379.tif 000004
【図３】
2011208379.tif 000005
【図４】
2011208379.tif 000006
【図５】
2011208379.tif 000007
【図６】
2011208379.tif 000008
【図７】
2011208379.tif 000009
【図８】
2011208379.tif 000010